(57)【特許請求の範囲】
【請求項１】
化粧面に表示画面が設けられている機器本体が、前記化粧面を重力の方向に向けた状態で、筐体内に収納されている状態から筐体前方へ突出するように設けられ、筐体前方へ突出した機器本体が、前記化粧面が前方へ向く立ち上がり姿勢へ回動可能とされた電子機器において、
前記機器本体には、前記化粧面から隆起形成された突条部が設けられ、この突条部は、前記表示画面の両側に位置して機器本体の移動方向に沿って連続的にまたは間欠的に延び、前記突条部は前記表示画面よりも突出し且つ前記移動方向に沿って前記化粧面から同じ突出寸法で形成されていることを特徴とする電子機器。
【請求項２】
前記筐体には、機器本体が収納される収納・移動領域および前記収納・移動領域の下側に位置する機構収納領域が設けられ、前記機構収納領域の前方が、操作部材を有する化粧ノーズで覆われており、
前記機器本体は、前記化粧面が前記機構収納領域および前記化粧ノーズへ向けられた状態で、筐体前方へ突出する請求項１記載の電子機器。
【請求項３】
前記化粧面には、操作部材が設けられており、この操作部材の表面が、前記突条部の頂点よりも低い位置にある請求項１または２記載の電子機器。
【請求項４】
前記化粧面には、凹部が形成されており、この凹部内に前記操作部材が設けられている請求項３記載の電子機器。
【発明の詳細な説明】
【０００１】
【発明の属する技術分野】
本発明は、表示画面および／または操作部材を有する機器本体が筐体の内部から筐体の前方へ突出し、さらに機器本体が筐体の前方で立ち上がり姿勢へ回動する電子機器に係り、特に、機器本体の化粧面に摺動傷が付きにくいようにした電子機器に関する。
【０００２】
【従来の技術】
図８は従来の車載用電子機器を示す部分斜視図である。
筐体１は金属板で形成された箱状のものである。この筐体１は１ＤＩＮサイズであり、自動車の車室内のダッシュボードなどに埋設される。筐体１の前部には合成樹脂製の化粧ノーズ２が取付けられる。この化粧ノーズ２には開口部３が形成されており、この開口部３以外の部分では、化粧ノーズ２の前面に押釦などの操作部材が配置されている。
【０００３】
筐体１内には、前記開口部３から前方へ突出する突出移動部６が設けられている。この突出移動部６は、移動部材４とこの移動部材４に軸４ａで回動自在に連結された機器本体（回動部）５とから成る。機器を使用していないときには、前記移動部材４が筐体１の内部に移動しており、前記機器本体５が水平姿勢のまま筐体１内に収納されている。
【０００４】
突出操作用の釦などを押すと、移動部材４が開口部３から筐体１の前方へ突出移動する。さらに、移動部材４に支持されている機器本体５が前記軸４ａを支点として矢印方向へ回動して機器本体５が立ち上がり姿勢となる。機器本体５の化粧面には液晶パネルなどの表示画面や操作部材が設けられ、機器本体５が立ち上がり姿勢となったときに、前記表示画面や操作部材が筐体１の前方に向けられる。
【０００５】
【発明が解決しようとする課題】
図８に示すものでは、機器本体５が立ち上がり姿勢に回動した状態で、表示画面や操作部材を有する化粧面が前方に向けられる。したがって、機器本体５が水平姿勢で、筐体１の内外へ移動するときには、前記化粧面は下（重力方向）へ向けられている。
【０００６】
したがって、機器本体５が筐体１の内部に収納された状態から筐体１から突出する状態へ移動するときには、下向きの化粧面が筐体１内の各種機構や回路基板などに対面しながら移動し、さらに化粧面が化粧ノーズ２の開口部３の下縁面に対面しながら移動する。
【０００７】
設計上は、前記筐体１内の各種機構や前記開口部３の下縁面と、機器本体５の化粧面との間に隙間が設定されており、機器本体５が移動するときに、化粧面が前記各種機構や化粧ノーズ２と摺動しないはずである。しかし、図８に示すように化粧面が重力方向へ向けられた姿勢で、機器本体５が移動するものでは、機器本体のがたつきで、前記化粧面が前記各種機構や前記開口部３の下縁面に当たりやすい。
【０００８】
特に、車載用電子機器の場合には、機器本体５が移動しているときに車体振動が与えられると、機器本体５が上下にがたつくことがあり、このとき機器本体５の化粧面が前記各種機構や化粧ノーズ２に強く当たりやすい。
【０００９】
前記の当りが生じると、機器本体５の化粧面に擦れ傷が与えられ、化粧面の外観を損なうことになる。また化粧面に設けられた表示画面に擦れ傷が与えられると、表示画面での画像の表示品質に問題が生じる。また化粧面に設けられた操作部材の表面に傷が与えられると、操作部材の表面の表示やメッキあるいは塗装が剥がれ、これによっても機器本体５の外観が損なわれる。
【００１０】
本発明は上記従来の課題を解決するものであり、化粧面が下に向けられて機器本体が移動するときに、前記機器本体が筐体内の機構や化粧ノーズなどに当たることがあっても、化粧面への傷つきを防止でき、さらに表示画面や操作部材が傷つくのを防止できるようにした、機器本体が立ち上がり回動する電子機器を提供することを目的としている。
【００１１】
【課題を解決するための手段】
本発明は、化粧面に表示画面が設けられている機器本体が、前記化粧面を重力の方向に向けた状態で、筐体内に収納されている状態から筐体前方へ突出するように設けられ、筐体前方へ突出した機器本体が、前記化粧面が前方へ向く立ち上がり姿勢へ回動可能とされた電子機器において、
前記機器本体には、前記化粧面から隆起形成された突条部が設けられ、この突条部は、前記表示画面の両側に位置して機器本体の移動方向に沿って連続的にまたは間欠的に延び、前記突条部は前記表示画面よりも突出し且つ前記移動方向に沿って前記化粧面から同じ突出寸法で形成されていることを特徴とするものである。
【００１２】
前記突条部は、化粧面の一部を構成する樹脂材料により一体に形成されていてもよいし、突条部が形成された樹脂部材などが前記化粧面に取付けられていてもよい。また前記突条部は、機器本体の移動方向に連続して長く形成されていてもよいし、あるいは短い突条部が機器本体の移動方向へ向けて配列しているものであってもよい。
【００１３】
本発明では、化粧面を重力方向に向けて移動するときに、機器本体が上下に揺れても、前記突条部が優先的に筐体内の機器や化粧ノーズに当たることにより、化粧面の傷つきを防止できる。
【００１５】
また、前記化粧面に操作部材が設けられている場合には、この操作部材の表面が、前記突条部の頂点よりも低い位置にあることにより、操作部材の表面のメッキや塗装などが剥がれるなどの問題が生じなくなる。
【００１６】
また、前記化粧面には、凹部が形成されており、この凹部内に前記操作部材が設けられていることが好ましい。
【００１７】
この構造では、操作部材が比較的大きく突出するものであっても、操作部材の表面を突条部の頂部よりも低い位置に設定できる。
【００１８】
したがって、筐体の前部に、前記機器本体が移動するときに、前記化粧面に対向する化粧ノーズが設けられているものであっても、化粧ノーズにより機器本体の化粧面に傷が与えられることがない。
【００１９】
【発明の実施の形態】
図１は本発明の実施の形態として、車載用電子機器の筐体前部の構造を示す分解斜視図、図２は機器本体が筐体の前方で立ち上がり姿勢へ回動した状態を示す斜視図、図３は機器本体が筐体内を移動している状態を示す断面図、図４ないし図７は機器本体の移動動作を化粧ノーズを外した状態で示す側面図である。
【００２０】
図１以下に示す車載用電子機器は、箱状の筐体１１を有している。図では、筐体１１が金属板でコの字状に折り曲げられており、天井板１２と、この天井板１２の両側部から直角に折り曲げられた側板１３，１３とを有している。筐体１１の底部には、図示しない底板が組み付けられ、底板と前記側板１３，１３とがねじなどで固定される。図１に示すように、前記天井板１２の前縁部には、筐体１１を構成する金属板が部分的に二つ折りされた二つ折り部１２ａが設けられている。
【００２１】
図４などに示すように、筐体１１内では、天井板１２側に片寄った部分が、突出移動部２０の収納・移動領域１４である。これに対応して、筐体１１の前部の上方領域が前記突出移動部２０の突出領域１６（図１、図４参照）となっている。また筐体１１の前記収納・移動領域１４よりも下側のスペースが機構・回路収納領域１５である。図の実施の形態では、この機構・回路収納領域１５内に、ＭＤ（ミニディスク）を駆動するディスクドライブ機構が収納される。またこの機構・回路収納領域１５内には、ディスク駆動用の回路、チューナ、アンプ、電源回路などの各種電子回路が収納されている。
【００２２】
また筐体１１の両側板１３，１３の内側には、前記突出移動部２０を案内する案内部材３０が設けられている。また前記筐体１１の前部には、前記突出移動部２０の突出領域１６以外の領域を覆う化粧ノーズ４０が取付けられる。
【００２３】
前記突出移動部２０は、移動部材２１と、この移動部材２１の内部に支持されている支持部材２２と、この支持部材２２に支持された機器本体２３とから構成されている。
【００２４】
図１に示すように、案内部材３０は、金属板により断面がＬ字形状に折り曲げられた案内レールである。この案内部材３０は、案内面３１が前記天井板１２と平行に延びており、案内面３１から直角に折り曲げられた折り曲げ部３２が設けられている。また案内面３１から突出する突起３３が側板１３に嵌合して案内部材３０が位置決めされている。
【００２５】
前記移動部材２１は、筐体１１の両側板１３，１３の内面に対向して設けられ、移動部材２１の外側面にはそれぞれ２個のローラ２４が回転自在に支持されており、このローラ２４が、案内部材３０の案内面３１と筐体１１の天井板１２との間を転動する。
【００２６】
図５に示すように、移動部材２１内には支持部材２２が移動自在に取付けられている。この支持部材２２の先部に前記機器本体２３が連結軸２５により回動自在に連結されている。
【００２７】
図２と図３には、機器本体２３の前面の化粧面２３ａの構造が示されている。化粧面２３ａは、所定の色彩に塗装されまたはメッキされるなどして優れた美観を呈する面となっている。化粧面２３ａには表示画面２７が設けられている。この表示画面２７は液晶表示パネルなどである。表示画面２７の外周には合成樹脂などで形成された枠体２９ａが嵌め込まれており、この枠体２９ａに一対の突条部２９，２９が一体に隆起形成されている。この突条部２９，２９は、機器本体２３の筐体１１内外への移動方向に沿って延びている。ただし、前記突条部２９，２９を図示のものよりも短いものとし、この突条部２９，２９が前記移動方向に沿って間欠的に形成されてもよい。また、前記突条部２９，２９は樹脂製であることが最も好ましい。
【００２８】
図３に示すように、機器本体２３では、化粧面２３ａおよび表示画面２７が、前記突条部２９，２９の頂部よりも低い位置にある。さらに化粧面２３ａには凹部２３ｃが形成されており、この凹部２３ｃ内に操作部材として操作ノブ２８が配置されている。図３に示すように、この操作ノブ２８の表面も、前記突条部２９の頂部よりも低い位置にある。また操作ノブ２８は凹部２３ｃ内に位置しているので、押圧方向の動作ストロークを大きくしても、操作ノブ２８の表面が、前記突条部２９，２９の頂部よりも突出することがない。よって操作ノブ２８の動作ストロークを大きくして操作感触を良好にできる。
【００２９】
図１に示すように、前記化粧ノーズ４０は合成樹脂で形成されたものであり、前記筐体１１の前部に設置される。
【００３０】
化粧ノーズ４０は、筐体１１の前部での前記突出領域１６以外の領域、すなわち前記機構・回路収納領域１５の前方を覆う本体部４１と、この本体部４１の両側部に一体に設けられている側枠部４２，４２とを有している。本体部４１の前面には、筐体１１内のディスクドライブ機構へＭＤなどの記録媒体を挿入し排出するために挿入・排出口４６が開口している。また本体部４１の前面には各種操作部材４７が配列している。
【００３１】
前記側枠部４２，４２は、その突出部４２ａ，４２ａが前記本体部４１よりも上方へ延びている。側枠部４２，４２の先端４２ｂ，４２ｂには側枠部４２と４２とが対向する方向へＬ字形状に突出するリブ４２ｂ１が一体に形成されている。
【００３２】
図１に示すように、それぞれの側枠部４２，４２の突出部４２ａ，４２ａには、筐体１１の方向へ延びる板状の挿入突起４３が一体に形成されている。また側枠部４２，４２には、突出部４２ａ，４２ａと前記本体部４１との境界部において、筐体１１の方向へ延びる支持片４４が一体に形成されている。この支持片４４には取付穴４４ａが穿設されている。
【００３３】
化粧ノーズ４０を筐体１１の前部に設置するときには、前記挿入突起４３が、筐体１１の側板１３の内面と、前記案内部材３０の折り曲げ部３２との間の隙間内に差し込まれる。また、前記支持片４４は、筐体１１の側板１３の外面に設置され、取付けねじ４５が取付穴４４ａに挿入され、側板１３に形成された雌ねじ穴１３ａに螺着される。
【００３４】
次に、この車載用電子機器の動作を説明する。
図１に示すように、移動部材２１が収納位置にあるとき、前記移動部材２１の先部２１ａが筐体１１の前部よりもわずかに前方へ突出している。前記移動部材２１は図１、図４、図５に示す収納位置から、図６と図７に示す突出位置へ移動する。このときの前記移動部材２１の移動距離はＬ１（図６、図７参照）である。
【００３５】
移動部材２１が前記距離Ｌ１だけ移動して停止した後に、図７に示すように、移動部材２１内で支持部材２２が前方へ移動する。このときの支持部材２２の移動距離はＬ２である。前記支持部材２２が前記距離Ｌ２だけ前方へ移動すると、前記支持部材２２に連結されている機器本体２３は水平姿勢のまま筐体１１の前方へ突出する。
【００３６】
筐体１１の前方へ突出した機器本体２３が前記連結軸２５を支点として上方へ立ち上がり回動すると、図２に示すように、機器本体２３の化粧面２３ａに設けられた表示画面２７および操作ノブ２８が、筐体１１の前方へ向けられ、筐体１１の前方から前記表示画面２７を目視でき、または前記操作ノブ２８を操作できるようになる。
【００３７】
前記移動部材２１の距離Ｌ１の移動、支持部材２２の距離Ｌ２の移動、さらに機器本体２３の立ち上がり姿勢への回動は、全て手動で行うことができる。すなわち図４の状態から機器本体２３を手で前方へ引張ってさらに持ち上げることにより図２に示すような立ち上がり姿勢に移行できる。ただし、前記移動部材２１をモータの動力で距離Ｌ１だけ移動させ、その後に支持部材２２をモータの動力で距離Ｌ２だけ移動させ、さらに機器本体２３をモータの動力で立ち上がり姿勢へ回動させる構造も可能である。
【００３８】
図１に示すように、前記機器本体２３の上面２３ｂにも操作釦２６などの各種操作部材が配列している。図１に示すように突出移動部２０が収納状態のとき、前記機器本体２３の上面２３ｂが、筐体１１の前方で、前記移動部材２１の先部２１ａと同じ位置まで突出している。よってこの状態で前記上面２３ｂに設けられた操作釦２６などを操作可能である。例えば、移動部材２１、支持部材２２がモータの動力で筐体１１の前方へ移動する場合には、前記操作釦２６を押すことにより前記モータを始動させることができる。
【００３９】
機器本体２３は、図４および図５に示す収納位置から、図７に示す突出位置まで距離Ｌ１＋Ｌ２だけ移動するが、このとき機器本体２３は、化粧面２３ａが重力方向（下方向）に向けられた状態で、筐体１１内から外部へ移動する。よって車体振動などで機器本体２３が上下に揺れたときに、機器本体２３の化粧面２３ａが、筐体１１内の機構・回路収納領域１５内にある機構部品や回路基板に当たることがある。また図３に示すように、機器本体２３が筐体１１の前部の突出領域１６において化粧ノーズ４０の本体部４１に対面している状態で移動しているときに、機器本体２３が上下に揺れると、機器本体２３の化粧面２３ａが前記本体部４１の上面に当たることがある。
【００４０】
すなわち、設計上は、前記化粧面２３ａは、機構部品や回路基板または化粧ノーズ４０の本体部４１と隙間を有して移動するように設定されるが、車体振動やその他の衝撃により、前記化粧面２３ａが機構部品や回路基板または本体部４１に当たることが有り得る。
【００４１】
しかし、このときに、前記機器本体２３の化粧面２３ｃから隆起形成されている前記突条部２９，２９が機構部品や本体部４１に当たることにより、化粧面２３ａ、表示画面２７および操作ノブ２８の表面を保護することができる。したがって、化粧面２３ａ、表示画面２７および操作ノブ２８に、擦り傷などが与えられにくくなる。
【００４２】
なお、本発明では、機器本体の化粧面２３ａに、表示画面のみが設けられているものでもよい。
【００４３】
【発明の効果】
以上のように本発明では、機器本体が筐体の内外を移動するときに、重力方向へ向けられている化粧面に擦り傷などが与えられるのを防止できる。さらに表示画面や操作部材が設けられている場合に、これらが傷つくのを保護できる。
【図面の簡単な説明】
【図１】本発明の実施の形態として車載用電子機器の筐体前部の構造を示す分解斜視図、
【図２】前記筐体の前方で機器本体が立ち上がり姿勢に回動した状態を示す斜視図、
【図３】機器本体が筐体の内部から外方へ移動する動作を示す断面図、
【図４】筐体内に突出移動部が収納されている状態を示す側面図、
【図５】突出移動部の構造をさらに詳しく示す側面図、
【図６】移動部材が距離Ｌ１だけ前進した状態を示す側面図、
【図７】移動部材内で支持部材が距離Ｌ２だけ前進した状態を示す側面図、
【図８】従来の車載用電子機器の筐体前部の構造を示す斜視図、
【符号の説明】
１１  筐体
１２  天井板
１２ａ  二つ折り部
１３  側板
２０  突出移動部
２１  移動部材
２２  支持部材
２３  機器本体
２３ａ  化粧面
２３ｃ  凹部
２７  表示画面
２８  操作ノブ（操作部材）
２９  突条部
３０  案内部材
３１  案内面
４０  化粧ノーズ
４１  本体部
【図１】
0003652171.tif 000002
【図２】
0003652171.tif 000003
【図３】
0003652171.tif 000004
【図４】
0003652171.tif 000005
【図５】
0003652171.tif 000006
【図６】
0003652171.tif 000007
【図７】
0003652171.tif 000008
【図８】
0003652171.tif 000009